(57)【要約】【課題】  遊技機の制御基板をノイズの影響を受けにくい構造とすることにより遊技機の誤動作を防止することを目的とする。【解決手段】  主基板８４ａの表側および裏側の面には、電源ラインＤＬ、信号ラインＳＬ、グランドＧＬ等の導体パターンがプリントされている。グランドＧＬは、表側の面のグランドラインＧＬ−ｙ１〜ｙ３と裏側の面のグランドラインＧＬ−ｘ１〜ｘ７とが互いに交差する方向に形成されている。また、電源ラインＤＬは、表側の面の電源ラインＤＬと裏側の面の電源ラインＤＬとが互いに交差する方向に形成されている。【選択図】        図３
2004305777.tif 000002
【特許請求の範囲】
【請求項１】
遊技媒体を流通させることにより遊技を行なう遊技機であって、
制御基板にデジタル回路を取り付けることにより構成され、前記遊技に関する動作を制御する制御部を有し、
前記制御基板は、導体パターンとして、表側の電源ラインと裏側の電源ラインとが互いに交差する方向に形成された電源ライン交差パターン、表側のグランドラインと裏側のグランドラインとが互いに交差する方向に形成されたグランドライン交差パターンという二つの交差パターンのうちの少なくとも一方を備えた
遊技機。
【請求項２】
前記制御基板は、基板表側および基板裏側のうちの少なくとも一方において、前記導体パターンの総面積の半分以上の面積のグランドラインを有する請求項１に記載の遊技機。
【発明の詳細な説明】
【技術分野】
【０００１】
本発明は、遊技機に関し、詳しくは、遊技媒体を流通させることにより遊技を行なう遊技機に関する。
【背景技術】
【０００２】
近年、遊技機の分野では、遊技媒体に帯電した静電気が制御基板に及ぶことにより遊技機の誤作動が生じ得る点に着目し、このような誤作動を防止する手法が種々提案されている。例えば、遊技用の球を遊技媒体とするパチンコ遊技機において、外レール等に帯電した静電気をリード線を通じてアース処理部に導き、レール上の静電気を遊技機の外部（以下、機外という）に除去する手法（例えば、特許文献１を参照）や、ハンドルや球受け皿等を炭素系極細繊維を混入したプラスチックで形成し、ハンドルや球受け皿上で生じた静電気を空中で中和して機外に除去する手法（例えば、特許文献２を参照）が提案されている。このように、従来は、制御基板に及び得る静電気を機外に除去することにより遊技機の誤作動を防止していた。
【０００３】
【特許文献１】特開平５−２２８２５７号公報
【特許文献２】特開平６−１５０５９号公報
【発明の開示】
【発明が解決しようとする課題】
【０００４】
しかしながら、遊技機では、遊技媒体の流路における遊技媒体同士の衝突や遊技媒体の流路を形成する部材と遊技媒体との摩擦等により頻繁に静電気が生じるので、静電気を完全に機外に除去することは困難であり、機内に残留した静電気が放電し制御基板に対するノイズとして作用する可能性があった（このようなノイズを、以下、静電気ノイズという）。
【０００５】
また、遊技機は、一般に、遊技場において他の遊技機やゲーム機等と隣接して設置され、携帯電話や医療機器等の電気機器を保持した使用者に使用される場合もある。従って、隣接する他の遊技機や使用者が所有する電気機器からの電磁波が制御基板に対するノイズとして作用する可能性があった（このようなノイズを、以下、外部ノイズという）。
【０００６】
このような遊技機の遊技形態，設置環境および使用環境を考慮すると、遊技機周辺からノイズ発生源を完全になくすことは困難であり、ノイズの影響を受ける制御基板側でノイズ対策を講じる必要があった。一方、遊技機の制御基板に静電気や電磁波が及んだ場合に、この静電気や電磁波が制御基板に対するノイズとして作用する蓋然性を低減する手段については、従来は何ら提案されていなかった。
【０００７】
そこで、本発明は、上記の課題を解決し、遊技機の制御基板をノイズの影響を受けにくい構造とすることにより遊技機の誤動作を防止することを目的として、以下の構成を採った。
【課題を解決するための手段】
【０００８】
本発明の遊技機は、
遊技媒体を流通させることにより遊技を行なう遊技機であって、
制御基板にデジタル回路を取り付けることにより構成され、前記遊技に関する動作を制御する制御部を有し、
前記制御基板は、導体パターンとして、表側の電源ラインと裏側の電源ラインとが互いに交差する方向に形成された電源ライン交差パターン、表側のグランドラインと裏側のグランドラインとが互いに交差する方向に形成されたグランドライン交差パターンという二つの交差パターンのうちの少なくとも一方を備えたことを要旨とする。
【０００９】
上記発明における遊技媒体としては、例えば、遊技用の球や遊技用のメタル等を考えることができる。
【００１０】
上記発明の遊技機によれば、制御基板が、導体パターンとして、表側の電源ラインと裏側の電源ラインとが互いに交差する方向に形成された電源ライン交差パターン、表側のグランドラインと裏側のグランドラインとが互いに交差する方向に形成されたグランドライン交差パターンという二つの交差パターンのうちの少なくとも一方を備える。このような構成を採ることにより、制御基板がノイズの影響を受けにくくなり、静電気放電や電磁波等が制御基板にノイズとして作用する蓋然性は大きく低減される。従って、制御部の正常な処理動作を確保することが可能となり、遊技機における誤動作の発生を有効に防止することができる。
【００１１】
制御基板が、基板表側および基板裏側のうちの少なくとも一方において、導体パターンの総面積の半分以上の面積のグランドラインを有する構成とすることも好適である。このようにグランドラインを広い面積とすることで、ノイズ電流の分散効率が高まり、グランド内に大きな電位差が生じにくくなる。従って、制御基板がノイズの影響をより一層受けにくくなり、制御部の正常な処理動作を十全に確保することができる。
【発明を実施するための最良の形態】
【００１２】
以上説明した本発明の構成および作用を一層明らかにするために、以下本発明の実施の形態を実施例に基づき説明する。図１は、本発明の実施例であるパチンコ遊技機１０の後面を示す説明図である。なお、以下の説明においては、パチンコ遊技機１０の前面方向から見たときの面を「表面」といい、パチンコ遊技機１０の後面方向から見たときの面を「裏面」という。
【００１３】
図１に示すように、パチンコ遊技機１０は、木製の外枠１２と、この外枠１２の外側側面にセットされるプリペイドカードユニット１５を備える。プリペイドカードユニット１５は、貸球数の情報が記録されたプリペイドカードを挿入することにより所定数の遊技球Ｂを上皿に供給する装置であり、ＡＣ１００ボルトのカードユニット電源コード１７と、度数表示部，貸出ボタン，貸出ボタンランプおよび返却ボタンを有する案内ユニット（図示せず）を備える。
【００１４】
パチンコ遊技機１０の外枠１２には、樹脂製の内枠２０が内枠用ヒンジ１３を介して開閉可能に軸着されている。この内枠２０の枠内に形成された開口部には、予め描画シートが貼着された遊技盤４０が嵌め込まれている。
【００１５】
図１に示すように、遊技盤４０の裏面には、後述する特別図柄表示装置として機能する液晶表示器５６、パチンコ遊技機１０前面の表示ランプの表示形態を制御するランプ制御基板５７ａ、外部に出力する音声の内容を特別図柄表示装置の動作状況に応じて制御する音声制御基板５８ａが、電気配線と共に取り付けられている。なお、ランプ制御基板５７ａおよび音声制御基板５８ａは、金属製のランプ・音声基板用プレート５９を介して遊技盤４０に取り付けられる。ランプ制御基板５７ａ，音声制御基板５８ａは、それぞれ樹脂カバー５７ｗ，樹脂カバー５８ｗによって覆われており、液晶表示器５６も同様に、図示しない樹脂製のカバーによって覆われている。
【００１６】
一方、図１に表わされていない遊技盤４０の表面には、発射ハンドルの操作により発射された遊技球Ｂを遊技領域まで誘導する外レールおよび内レール、多数の障害釘、打球が流下する速度や方向を変化させる風車、遊技領域を流下する遊技球が進入可能な数個の普通入賞口４３および一個の始動入賞口、始動入賞口への遊技球Ｂの進入に伴って図柄変動を開始する特別図柄表示装置、特別図柄表示装置によって特定図柄が表示されたときに開く大入賞口４６、各入賞口４３，４６への入賞状況に応じて種々の形態で点灯ないし点滅する表示ランプ等の各種部品が装着されている。また、遊技盤４０の中央下部には、遊技領域において入賞しなかった遊技球Ｂの入口であるアウト口５３が形成されている。このような各部によって遊技盤４０上の遊技領域が形成される。
【００１７】
こうした遊技領域は、内枠２０の側面に開閉可能に軸着されたガラス枠（図示せず）のガラス面で覆われており、ガラス枠の下方における内枠２０側面には、貸球や賞球としての遊技球Ｂを貯留する上皿（図示せず）が開閉可能に軸着されている。この上皿よりも下方の内枠２０表面には、上皿の容量を越えて払い出された遊技球Ｂを貯留する下皿（図示せず）、発射ハンドルの回転操作により上皿から供給された遊技球Ｂを遊技領域に向けて発射する発射操作ユニット（図示せず）等が取り付けられている。また、上皿を開けたときに露出する内枠２０表面には、発射ハンドルの回転操作により発射された遊技球を外レールに案内する発射レール（図示せず）が装着されている。
【００１８】
図１に示すように、内枠２０の裏面には、樹脂製の機構板７０が、遊技盤４０の裏面に重ねられた状態で取り付けられている。この機構板７０は、その側面の二箇所に螺着された金属製の機構板用ヒンジ７１，７９を内枠２０に装着された受け金具３３にセットすることにより、開閉ないし係脱可能に装着される。図１は機構板７０を閉じたときの状態を示しており、この状態において、遊技盤４０裏面の液晶表示器５６，ランプ制御基板５７ａおよび音声制御基板５８ａは、機構板７０の略中央に形成された矩形の開口部７０ａ内に納まっている。
【００１９】
機構板７０裏面の最上部には、所定数の遊技球Ｂを貯留可能な球タンク７２が取り付けられており、この球タンク７２よりも下方の領域には、球タンク７２から賞球／貸球払出しユニット７５までの遊技球Ｂの通路を形成するタンクレール７３およびケースレール７４が取り付けられている。図１に示すように、球タンク７２の下部に形成された二つの凸部７２ａ，７２ｂは、タンクレール７３の上端と接触している。また、タンクレール７３の末端はケースレール７４の始端と接触した状態となっている。
【００２０】
ケースレール７４の末端には、賞球や貸球としての遊技球Ｂを払い出す賞球／貸球払出しユニット７５、払い出された遊技球Ｂの通路であるおよび鈴桶ベース７７が連接されている。ケースレール７４，賞球／貸球払出しユニット７５、鈴桶ベース７７は、図１に示すように、機構板７０の裏面に敷設された矩形の金属板９０上に金属板９０と接触した状態で設置されている。また、ケースレール７４の始端と接するタンクレール７３の末端も、金属板９０上に金属板９０と接触した状態で設置されている。この金属板９０の側端部に形成された折曲部は、それぞれ機構板用ヒンジ７１，７９に螺着されている。これにより、金属板９０は、折曲部を介して機構板用ヒンジ７１，７９と導通可能な状態となる。もとより、金属板９０と機構板用ヒンジ７１，７９とを予め一体的に形成しておいても差し支えない。
【００２１】
賞球／貸球払出しユニット７５内には、ケースレール７４からの遊技球Ｂの通路が形成されており、この通路の途中には二個の円筒部材（図示せず）が装着されている。この円筒部材はモータを動力源として回転可能に構成されており、球貸し時若しくは入賞時に回転し、これ以外の時には回転停止状態となるように制御される。また、円筒部材の周辺にはケースレール７４から流下してきた遊技球Ｂが侵入可能な大きさのスプロケットが形成されている。このスプロケット内に遊技球Ｂが侵入した状態で円筒部材が回転することにより、遊技球Ｂは下方の鈴桶ベース７７内に送り出される。一方、円筒部材の回転が停止すると、ケースレール７４から流下してきた遊技球Ｂは停止状態の円筒部材によって塞き止められる。なお、賞球／貸球払出しユニット７５の頂面には、上記モータを覆うニ個の保護カバー７６ａ，７６ｂが装着されている。また、賞球／貸球払出しユニット７５内には、賞球，貸球として払い出された遊技球Ｂの数を検知する賞球／貸球センサ（図示せず）が埋め込まれている。
【００２２】
鈴桶ベース７７は、その内部を流下してきた遊技球Ｂの出口として、第一出口，第ニ出口（図示せず）という二つの出口を備える。上記の第一出口，第ニ出口は、図１に示す鈴桶ベース７７が機構板７０に装着された状態において、それぞれ、後述する案内路７０ｂの入口，分岐路７０ｃの入口と対向する位置に形成されている。また、図１に示すように、賞球／貸球払出しユニット７５の装着位置よりも下方の鈴桶ベース７７は鈴桶カバー７８によって覆われている。
【００２３】
図１に二点鎖線で示すように、機構板７０の表面には、遊技球Ｂを誘導する各種の通路として、案内路７０ｂ、分岐路７０ｃ、球排出通路７０ｄという三つの通路が樹脂製の機構板７０と一体として形成されている。案内路７０ｂは、賞球や貸球として払い出された遊技球Ｂを鈴桶ベース７７の第一出口からパチンコ遊技機１０前面側の上皿に導く通路である。分岐路７０ｃは、上皿および案内路７０ｂの容量を越えて払い出された遊技球Ｂを鈴桶ベース７７の第ニ出口から下皿に導く通路である。球排出通路７０ｄは、普通入賞口４３や大入賞口４６，アウト口５３に進入した遊技球Ｂを機外に導く通路である。
【００２４】
機構板７０裏面におけるケースレール７４上方の領域には電源・外部端子ユニット８０が装着されている。電源・外部端子ユニット８０は、遊技場の島からＡＣ２４ボルトの電源をパチンコ遊技機１０内に導入するための遊技機電源コード８０ｂ、操作により供給電源のオン／オフを行なう電源スイッチ８０ａ、パチンコ遊技機１０に発生した特定図柄の表示による大当たり回数等を外部に出力する遊技盤用外部端子板８０ｃ、球貸しや球切れ，賞球に関する情報を外部に出力する枠用外部端子板８０ｄから構成されている。遊技機電源コード８０ｂから導入されたＡＣ２４ボルトの電源は、電気配線を通じて後述する電源ユニット８１に送られる。
【００２５】
開口部７０ａの下方には、電源基板８１ａおよび電源基板８１ａを覆う透明な樹脂カバー８１ｗを有する電源ユニット８１、発射制御基板８２ａおよび発射制御基板８２ａを覆う透明な樹脂カバー８２ｗを有する発射制御ユニット８２が、金属製の電源・発射制御基板用プレート８３を介して機構板７０の裏面に取り付けられている。また、機構板７０の裏面には、電源ユニット８１および発射制御ユニット８２の上面の一部を覆うように、金属製の主基板用プレート８５が螺着されており、この主基板用プレート８５上に主基板８４ａおよび主基板８４ａを覆う透明な樹脂カバー８４ｗを有する主制御ユニット８４が取り付けられている。また、機構板７０の裏面には、鈴桶カバー７８の上面および電源ユニット８１の上面の一部を覆うように、金属製の払出制御基板用プレート８７が螺着されており、この払出制御基板用プレート８７上に払出制御基板８６ａおよび払出制御基板８６ａを覆う透明な樹脂カバー８６ｗを有する払出制御ユニット８６が取り付けられている。
【００２６】
外部端子ユニット８０と電気配線を介して接続された電源ユニット８１は、遊技機電源コード８０ｂから送られてきた交流電源を直流に変換し、変換された直流電源を、給電線を通じて液晶表示器５６、ランプ制御基板５７ａ、音声制御基板５８ａ、発射制御ユニット８２、主制御ユニット８４および払出制御ユニット８６等の各制御パーツに供給する。発射制御ユニット８２は発射ハンドルの操作に伴う発射機構ユニット３１の発射動作を制御する。主制御ユニット８４は、特別図柄表示装置における図柄の表示動作等の遊技に伴う動作を制御する。払出制御ユニット８６は、賞球／貸球払出しユニット７５による払出し動作を制御する。
【００２７】
このように構成されたパチンコ遊技機１０における遊技球Ｂの流通経路について説明する。遊技場の球供給装置から供給された遊技球Ｂは、機構板７０裏面に装着された球タンク７２からより下流側のタンクレール７３，ケースレール７４，賞球／貸球払出しユニット７５に順次に流れていく。賞球／貸球払出しユニット７５内に流れ込んできた遊技球Ｂは、球貸し時および入賞時でない場合には、回転停止状態の円筒部材によりスプロケット内に遊技球Ｂが侵入した状態で塞き止められる。これにより、球タンク７２、タンクレール７３，ケースレール７４および賞球／貸球払出しユニット７５内は遊技球Ｂが貯留した状態となる。
【００２８】
一方、遊技中に普通入賞口４３または大入賞口４６に遊技球Ｂが進入した場合には、この遊技球Ｂの進入を検知した主制御ユニット８４および払出制御ユニット８６が賞球側モータの駆動を指示する。これにより、賞球側モータに接続された円筒部材が回転し、この円筒部材の回転に伴ってスプロケット内の遊技球Ｂが順次に鈴桶ベース７７内に送り出される。鈴桶ベース７７内に送り出された遊技球Ｂは、鈴桶ベース７７内の通路内をベルに衝突しながら流下し、第一出口から案内路７０ｂに排出される。これにより、賞球としての所定数の遊技球Ｂが、案内路７０ｂを通ってパチンコ遊技機１０前面側の上皿に払い出される。
【００２９】
なお、普通入賞口４３や大入賞口４６，アウト口５３に進入した遊技球Ｂ（以下、遊技領域に進入した遊技球Ｂという）は、遊技盤４０裏面と機構板７０表面との間を流下した後、前述した球排出通路７０ｄに合流し、球排出通路７０ｄの傾斜に沿って流下する。これにより、遊技領域に進入した遊技球Ｂがパチンコ遊技機１０の外部に排出される。
【００３０】
上皿の容量を越える遊技球Ｂが払い出されると、案内路７０ｂおよび第一出口が遊技球Ｂで閉塞される。この第一出口の閉塞後、鈴桶ベース７７内の遊技球Ｂは第ニ出口に向けて流れ出し、第ニ出口から分岐路７０ｃに排出された後、分岐路７０ｃの傾斜に沿って流下する。これにより、上皿の容量を越える遊技球Ｂが分岐路７０ｃを通ってパチンコ遊技機１０前面側の下皿に払い出される。
【００３１】
また、プリペイドカードユニット１５にプリペイドカードが挿入された後に案内ユニットの貸出ボタンが押された場合には、貸球数の情報を検知した主制御ユニット８４および払出制御ユニット８６が貸球側モータの駆動を指示する。これにより、貸球側モータに接続された円筒部材が回転し、入賞時と同様に、賞球／貸球払出しユニット７５からの遊技球Ｂが、鈴桶ベース７７から案内路７０ｂを通じてパチンコ遊技機１０前面側の上皿に払い出される。
【００３２】
このような賞球や貸球の払出しに伴い、ケースレール７４，タンクレール７３，球タンク７２に貯まっていた遊技球Ｂは、順次に賞球／貸球払出しユニット７５に向かうように移動する。賞球や貸球の払出しにより、球タンク７２への貯留数が一定数以下であることが検出された場合には、この検出結果を受け取った枠用外部端子板８０ｄからの指示に基づき、遊技場の球供給装置から球タンク７２に遊技球Ｂが補給される。
【００３３】
なお、払い出された賞球や貸球の数は、賞球／貸球払出しユニット７５内に設けられた賞球／貸球センサ（図示せず）によって検知される。賞球／貸球センサは所定数の払出しを検知したときに検知結果を払出制御ユニット８６に送出し、検知結果を受け取った払出制御ユニット８６は、賞球側ないし貸球側のモータの駆動停止を指示する。これにより、各モータに接続された円筒部材の回転が停止され、円筒部材のスプロケットによる鈴桶ベース７７への遊技球Ｂの送り出しが停止される。この結果、球タンク７２、タンクレール７３およびケースレール７４内は、入賞ないし球貸し発生前と同様の遊技球Ｂが貯留した状態に戻る。
【００３４】
次に、各制御基板８１ａ，８２ａ，８４ａ，８６ａのパターンレイアウトについて説明する。電源基板８１ａ，発射制御基板８２ａ，主基板８４ａおよび払出制御基板８６ａは、両面プリント基板であり、デジタル回路等の電子部品を実装する表側の面（以下、表側面という）と、この表側面とバイアホールを介して電気的に接続される裏側の面（以下、裏側面という）とを備える。制御基板８１ａ，８２ａ，８４ａ，８６ａに電子部品が実装されることにより、制御基板８１ａ，８２ａ，８４ａ，８６ａは遊技に関する動作を制御する制御部として機能する。この制御部によって制御される遊技に関する動作としては、電源基板８１ａによる直流への変換処理や直流電源の液晶表示器５６や各制御基板５７ａ，５８ａ，８２ａ，８４ａ，８６ａへの供給処理、発射制御基板８２ａによる発射機構ユニット３１の発射動作、主基板８４ａによる特別図柄表示装置における図柄の表示動作、払出制御基板８６ａによる賞球／貸球払出しユニット７５からの遊技球Ｂの払出し動作等がある。
【００３５】
図１において、各制御基板８１ａ，８２ａ，８４ａ，８６ａは、基板の裏側面と機構板７０裏面とが対向するように配設されている。従って、パチンコ遊技機１０の後面からは、樹脂カバー８１ｗ，８２ｗ，８４ｗ，８６ｗ越しに各基板の表側面を視認することができる。
【００３６】
主基板８４ａの表側面を図２に示す。この図２では実装された電子部品を省略して示している。図２に示すように、横長の矩形形状を有する主基板８４ａの表側面には、基板上で行なわれる処理動作に必要な電源を供給する電源ラインＤＬ、各種の制御や処理の内容が規定された電気信号を伝達する信号ラインＳＬ、電源ラインＤＬや信号ラインＳＬと接続される基準電位領域であるグランドＧＬ等の導体パターンがプリントされている。図２では、電源ラインＤＬ，信号ラインＳＬを、それぞれ黒色の太線，黒色の細線を用いて示している。また、図２における白色部分，斜線部分，黒丸部分は、それぞれグランドＧＬ，導体パターンがプリントされるガラスエボキシ製の基材，電源ラインＤＬや信号ラインＳＬに接続される端子を表わしている。この端子に各種の電子部品が取り付けられる。なお、上記の基材は、実際には、各電源ラインＤＬや各信号ラインＳＬの周辺領域にも露出しているが、図２ではこの周辺領域についての斜線部分の記載を省略している。
【００３７】
図２に示すように、主基板８４ａの表側面においては、電源ラインＤＬおよび信号ラインＳＬのほとんどが主基板８４ａの短辺に対して略平行な縦方向（図２に示すＹ軸に沿った方向）に延びている。
【００３８】
また、図２に示すように、主基板８４ａの表側面は、基材上の導体パターンの総面積（図２に示す白色部分以外の面積）の３分の２以上がグランドＧＬとされている。このグランドＧＬ内の上端領域と下端領域は、主基板８４ａの短辺に対して略平行な縦方向（図２に示すＹ軸に沿った方向）に走る三本のグランドラインＧＬ−ｙ１〜ｙ３によって、相互に導通されている。
【００３９】
主基板８４ａの裏側面を図３に示す。この図３では、図２と同様に、電源ラインＤＬ，信号ラインＳＬ，グランドＧＬ，基材，端子を、それぞれ黒色の太線，黒色の細線，白色部分，斜線部分，黒丸部分で示すとともに、各電源ラインＤＬや各信号ラインＳＬの周辺領域に露出している基材についての斜線を用いた表示を省略している。また、図３に示す主基板８４ａの各コーナー部１〜４は、図２における各コーナー部１〜４に対応している。
【００４０】
図３に示すように、主基板８４ａの裏側面には、電源ラインＤＬ、信号ラインＳＬ、グランドＧＬ等の導体パターンがプリントされている。この主基板８４ａの裏側面においては、電源ラインＤＬおよび信号ラインＳＬのほとんどが主基板８４ａの長辺に対して略平行な横方向（図３に示すＸ軸に沿った方向）に延びている。
【００４１】
また、図３に示すように、主基板８４ａの裏側面は、基材上の導体パターンの総面積（図３に示す白色部分以外の面積）の半分以上がグランドＧＬとされている。このグランドＧＬ内の左端領域と右端領域は、主基板８４ａの長辺に対して略平行な横方向（図３に示すＸ軸に沿った方向）に走る七本のグランドラインＧＬ−ｘ１〜ｘ７によって、相互に導通されている。
【００４２】
以上のように、主基板８４ａのグランドＧＬを、表側面のグランドラインＧＬ−ｙ１〜ｙ３と裏側面のグランドラインＧＬ−ｘ１〜ｘ７とが互いに交差する方向（表側面においてはＹ軸に沿った方向、裏側面においてはＸ軸に沿った方向）に形成することにより、従来よりも主基板８４ａに静電気ノイズや外部ノイズがのりにくくなる。これは、グランドＧＬにおいてノイズ電流の方向が分散されやすくなることに起因するものと考えられる。
【００４３】
また、主基板８４ａの電源ラインＤＬを、表側面の電源ラインＤＬと裏側面の電源ラインＤＬとが互いに交差する方向（表側面においてはＹ軸に沿った方向、裏側面においてはＸ軸に沿った方向）に形成することにより、従来よりも主基板８４ａに静電気ノイズや外部ノイズがのりにくくなる。これは、電源ラインＤＬにおいてノイズ電流の方向が分散されやすくなることに起因するものと考えられる。
【００４４】
以上、主基板８４ａを例として説明したが、本実施例では、電源基板８１ａ，発射制御基板８２ａ，払出制御基板８６ａについても、上記主基板８４ａと同様のパターンレイアウトを採用している。即ち、各制御基板８１ａ，８２ａ，８６ａにおいて、グランドＧＬは、表側面のグランドラインと裏側面のグランドラインとが互いに交差する方向に形成されており、電源ラインＤＬは、表側面の電源ラインＤＬと裏側面の電源ラインＤＬとが互いに交差する方向に形成される。また、各制御基板８１ａ，８２ａ，８６ａの表側面ないし裏側面には、グランドＧＬが基材上の導体パターンの総面積の半分以上の面積で形成されている。
【００４５】
なお、上記のパチンコ遊技機１０では、上記した各制御基板８１ａ，８２ａ，８４ａ，８６ａにおける交差パターンの採用に加えて、球タンク７２，タンクレール７３，ケースレール７４と賞球／貸球払出しユニット７５とを表面抵抗値の異なる樹脂製導電材を用いて形成し、球タンク７２等に帯電した静電気を金属板９０を介して機外に除去する構成や、発射レール，内レール，外レール等に帯電した静電気を機外に除去する構成、電源・発射制御基板用プレート８３，主基板用プレート８５，払出制御基板用プレート８７およびランプ・音声基板用プレート５９という各プレートを相互に連絡する構成を採用する。このようなパチンコ遊技機１０において遊技中の静電気によるノイズの影響を測定した結果を図４（Ｂ）のグラフに示した。
【００４６】
図４は、賞球や貸球の払出しの前後においてパチンコ遊技機に生じる電位差を表わすグラフである。このグラフは、電源ラインにおける電位差の変化をデータとして採取したものであり、縦軸は電位差を示し、横軸は経過時間を示す。また、図４（Ａ）は従来のパチンコ遊技機の測定結果を、図４（Ｂ）は本実施例のパチンコ遊技機１０の場合の測定結果を、それぞれ表わしている。図４に示すように、賞球や貸球の払出しがなされる前においては、電源ラインにおける電位差は５ボルト前後で安定している。
【００４７】
図４（Ａ）と図４（Ｂ）とを比較してわかるように、従来のパチンコ遊技機においては、賞球や貸球の払出しがなされる際に、最大で１１ボルト，最小で−２ボルトの電位差が生じ、電圧が変化する幅Ｗ２は１３ボルトとなる。これに対し、本実施例のパチンコ遊技機１０では、賞球や貸球の払出しがなされる際に、最大で６ボルト，最小で４ボルトの電位差が生じ、電圧が変化する幅Ｗ１は２ボルトとなる。このように、本実施例のパチンコ遊技機１０では、賞球や貸球の払出し時において電源ラインの電圧が変化する幅は、±１ボルト程度に止まり、従来のパチンコ遊技機の１／６程度にまで低減される。以上より、本実施例のパチンコ遊技機１０では、従来品と比べて、賞球や貸球の払出し等により生じた静電気によるノイズが電源ラインにのりにくくなっていることがわかる。
【００４８】
以上説明した本実施例のパチンコ遊技機１０では、各制御基板８１ａ，８２ａ，８４ａ，８６ａのグランドＧＬのパターンを、表側面のグランドラインＧＬ−ｙ１〜ｙ３と裏側面のグランドラインＧＬ−ｘ１〜ｘ７とが互いに交差する方向に形成する。これにより、各制御基板８１ａ，８２ａ，８４ａ，８６ａがノイズの影響を受けにくくなり、静電気放電や電磁波等が各制御基板８１ａ，８２ａ，８４ａ，８６ａにノイズとして作用する蓋然性は大きく低減される。従って、各制御基板８１ａ，８２ａ，８４ａ，８６ａの正常な処理動作を確保することが可能となり、パチンコ遊技機１０遊技機における誤動作の発生を有効に防止することができる。このような効果は、各制御基板８１ａ，８２ａ，８４ａ，８６ａの電源ラインＤＬのパターンを、表側面の電源ラインＤＬと裏側面の電源ラインＤＬとが互いに交差する方向に形成することによっても得ることができる。
【００４９】
特に、本実施例では、賞球や貸球の払い出しを司る主基板８４ａや払出制御基板８６ａを上記のようなノイズの影響を受けにくい配線形態としている。従って、主基板８４ａや払出制御基板８６ａに静電気ノイズや外部ノイズがのることにより入賞時や貸球時でないにも拘らず遊技球Ｂが払い出されてしまうといった事態を有効に防止することができる。
【００５０】
また、上記実施例では、各制御基板８１ａ，８２ａ，８４ａ，８６ａの表側面や裏側面に、グランドＧＬを、基材上の導体パターンの総面積の半分以上の面積で形成する。このようにグランドＧＬを広い面積とすることで、ノイズ電流の分散効率が高まり、グランドＧＬ内に大きな電位差が生じにくくなる。従って、制御基板８１ａ，８２ａ，８４ａ，８６ａがノイズの影響をより一層受けにくくなり、各制御基板８１ａ，８２ａ，８４ａ，８６ａの正常な処理動作を十全に確保することができる。
【００５１】
以上本発明の実施例について説明したが、本発明は、こうした実施例に限定されるものではなく、発明の要旨を逸脱しない範囲内において、種々なる態様で実施可能である。
【００５２】
例えば、上記実施例では、四つの制御基板８１ａ，８２ａ，８４ａ，８６ａについて、電源ラインＤＬの交差パターンやグランドラインの交差パターンを採用したが、同様の交差パターンをランプ制御基板５７ａや音声制御基板５８ａについて採用しても差し支えない。また、制御基板の配置状態に応じて上記六つの制御基板５７ａ，５８ａ，８１ａ，８２ａ，８４ａ，８６ａの中から一以上の制御基板を適宜選択し、選択した制御基板についてのみ上記電源ラインＤＬの交差パターンやグランドラインの交差パターンを採用してもよい。
【００５３】
また、上記実施例では、制御基板８１ａ，８２ａ，８４ａ，８６ａについて、電源ラインＤＬの交差パターンとグランドラインの交差パターンの双方を採用したが、このうちのいずれか一方のみを採用する構成としても差し支えない。
【００５４】
更に、上記実施例では、各制御基板８１ａ，８２ａ，８４ａ，８６ａの表側面および裏側面に基材上の導体パターンの総面積の半分以上の面積でグランドＧＬを形成したが、このような広い面積のグランドＧＬを各制御基板８１ａ，８２ａ，８４ａ，８６ａの表側面および裏側面のうちのいずれか一方の面のみに形成することも可能である。
【００５５】
本発明の実施例であるパチンコ遊技機１０は、球貸し等による上皿への遊技球Ｂの補充や、上皿ないし下皿に払い出された遊技球Ｂの機外への取り出しが可能に構成されているが、機内に遊技用の球が封入され、この球を流通させることにより遊技を行なう他の遊技機にも、本発明を適用することができる。また、上記実施例のパチンコ遊技機１０では、遊技球Ｂの普通入賞口４３等の入賞口への侵入に伴って所定数の遊技球Ｂを賞球として払い出すが、このような賞球に替えて所定数のメタルや景品等を払い出す他の遊技機にも、本発明を適用することができる。このような遊技機として、アレンジボール，パチンコ玩具等を考えることができる。
【００５６】
また、上記実施例では、遊技球Ｂを用いて遊技を行なうパチンコ遊技機１０を例として説明したが、メタルを用いて遊技を行なうスロットマシン等の遊技機にも本発明を適用することができる。
【図面の簡単な説明】
【００５７】
【図１】本発明の実施例であるパチンコ遊技機１０の後面を示す説明図である。
【図２】主基板８４ａの表側面を略記して示す説明図である。
【図３】主基板８４ａの裏側面を示す説明図である。
【図４】賞球や貸球の払出しの前後においてパチンコ遊技機に生じる電位差を表わすグラフである。
【符号の説明】
【００５８】
１０...パチンコ遊技機
１２...外枠
１３...内枠用ヒンジ
１５...プリペイドカードユニット
１７...カードユニット電源コード
２０...内枠
３１...発射機構ユニット
３２ａ，３２ｂ...支持片
３３...受け金具
４０...遊技盤
４３...普通入賞口
４６...大入賞口
５３...アウト口
５６...液晶表示器
５７ａ...ランプ制御基板
５７ｗ...樹脂カバー
５８ａ...音声制御基板
５８ｗ...樹脂カバー
５９...ランプ・音声基板用プレート
７０...機構板
７０ａ...開口部
７０ｂ...案内路
７０ｃ...分岐路
７０ｄ...球排出通路
７１...機構板用ヒンジ
７２...球タンク
７２ａ，７２ｂ...凸部
７３...タンクレール
７４...ケースレール
７５...賞球／貸球払出しユニット
７６ａ，７６ｂ...保護カバー
７７...鈴桶ベース
７８...鈴桶カバー
７９...機構板用ヒンジ
８０...電源・外部端子ユニット
８０ａ...電源スイッチ
８０ｂ...遊技機電源コード
８０ｃ...遊技盤用外部端子板
８０ｄ...枠用外部端子板
８１...電源ユニット
８１ａ...電源基板
８１ｗ...樹脂カバー
８２...発射制御ユニット
８２ａ...発射制御基板
８２ｗ...樹脂カバー
８３...電源・発射制御基板用プレート
８４...主制御ユニット
８４ａ...主基板
８４ｗ...樹脂カバー
８５...主基板用プレート
８６...払出制御ユニット
８６ａ...払出制御基板
８６ｗ...樹脂カバー
８７...払出制御基板用プレート
９０...金属板
Ｂ...遊技球
ＤＬ...電源ライン
ＧＬ...グランド
ＧＬ−ｘ１〜ｘ７...グランドライン
ＧＬ−ｙ１〜ｙ３...グランドライン
ＳＬ...信号ライン
【図１】
2004305777.tif 000003
【図２】
2004305777.tif 000004
【図３】
2004305777.tif 000005
【図４】
2004305777.tif 000006